(57)【要約】【課題】収納物を、高さを不揃いにせずに、自動収納梱包ラインで容易に収納梱包でき、肉薄でも多段積み重ねることに十分耐えられる段ボール箱の提供。【解決手段】台紙１の底板２に対して、主側壁板４，４を直角に起立し、上板５ａ，５ｂを上記主側壁板４，４に対して直角に折曲し、さらに仕切壁板６，６を上記上板５ａ，５ｂに対し直角に折曲し、上記糊代片１０，１０を上記底板２上面に貼着することにより、該底板２上に主側壁板４，４、上板５ａ，５ｂ、仕切壁板６，６により囲繞された空室Ａ，Ｂを区画形成し、糊代片４′…を直角に折曲し、また、主側壁板３，３を直角に折曲し、さらに、副側壁板５ａ′，５ａ′，５ｂ′，５ｂ′を直角に折曲することによって、上記空室Ａ，Ｂの両側開口を閉鎖してなる段ボール箱。【選択図】図３
2004331085.tif 000002
【特許請求の範囲】
【請求項１】
台紙（１）が、長方形の底板（２）の両側対向長辺縁にそれと同形同大の主側壁板（３，３）を連設し、上記底板（２）の両側対向短辺縁にはそれぞれ、略正方形の主側壁板（４，４）と、同じく略正方形の上板（５ａ，５ｂ）と、さらに同じく略正方形の仕切壁板（６，６）とを、外方に向けて順に連設するとともに、上記主側壁板（４，４）の対向する２辺縁（上記底板（２）の両側対向長辺の延長線上の２辺縁）に、上記主側壁板（３，３）と並列する状態にして糊代片（４′…）を連設し、上記上板（５ａ）の対向する２辺縁（上記底板（２）の両側対向長辺の延長線上の２辺縁）に、上記糊代片（４′…）と並列する状態にして、該上板（５ａ）と同形同大の副側壁板（５ａ′，５ａ′）を連設し、上記上板（５ｂ）の対向する２辺縁（上記底板（２）の両側対向長辺の延長線上の２辺縁）に、上記糊代片（４′…）と並列する状態にして、一側５ｂ″，５ｂ″を上記仕切壁板６側に延長した長方形の副側壁板（５ｂ′，５ｂ′）を連設し、また、上記仕切壁板（６，６）の遊端側辺縁に糊代片（１０，１０）を連設してなり、その台紙（１）の上記底板（２）に対して、上記主側壁板（４，４）を直角に起立し、上記上板（５ａ，５ｂ）を上記主側壁板（４，４）に対して直角に折曲し、さらに上記仕切壁板（６，６）を上記上板（５ａ，５ｂ）に対し直角に折曲し、上記糊代片（１０，１０）を折曲して上記底板（２）上面に貼着することにより、上記底板（２）上に主側壁板（４，４）と、上板（５ａ，５ｂ）と、仕切壁板（６，６）とにより囲繞された２つの空室（Ａ，Ｂ）を区画形成し、さらに、上記糊代片（４′…）を主側壁板（４，４）に対し直角に折曲し、主側壁板（３，３）を底板に対し直角に折曲し、また、副側壁板（５ａ′，５ａ′，５ｂ′，５ｂ′）を、上板（５ａ，５ｂ）に対して直角に折曲することによって、上記空室（Ａ，Ｂ）の両側開口を閉鎖するようにしてなることを特徴とする段ボール箱。
【請求項２】
請求項１記載の段ボール箱の台紙（１）を、上記主側壁板（４，４）と上板（５ａ，５ｂ）の間で折り返して、底板（２）と主側壁板（４，４）の上面側に、上板（５ａ，５ｂ）と仕切壁板（６，６）とを重合させ、かつ、上記糊代片（１０，１０）を上記底板（２）上面の所定箇所に貼着した状態にして自動収納梱包ラインに供給し、該自動収納梱包ラインで、その主側壁板（４，４）および仕切壁板（６，６）を底板（２）に対して直角に起立させることにより空室（Ａ，Ｂ）を拡げてその両側を開口させた状態とし、該空室（Ａ，Ｂ）に、いずれかの側の開口を通じて側方から収納物（Ｄ，Ｄ）を収納し、その後、糊代片（４′…）と、主側壁板（３，３）と、副側壁板（５ａ′，５ａ′，５ｂ′，５ｂ′）とを直角に折曲して、該空室Ａ，Ｂの両側開口を閉鎖することを特徴とする収納梱包法。
【請求項３】
請求項１記載の段ボール箱の台紙（１）を、上記主側壁板（４，４）と上板（５ａ，５ｂ）の間で折り返して、底板（２）と主側壁板（４，４）の上面側に、上板（５ａ，５ｂ）と仕切壁板（６，６）とを重合させ、かつ、上記糊代片（１０，１０）を上記底板（２）上面の所定箇所に貼着した状態にして自動収納梱包ラインに供給し、該自動収納梱包ラインで、その主側壁板（４，４）および仕切壁板（６，６）を底板（２）に対して直角に起立させることにより空室（Ａ，Ｂ）を拡げてその両側を開口させた状態とし、一側の糊代片（４′，４′）と、同じく一側の主側壁板（３）と、さらに同じく一側の副側壁板（５ａ′，５ｂ′）とを直角に折曲して、空室（Ａ，Ｂ）の上記一側の開口を閉鎖し、その後、該空室（Ａ，Ｂ）に、他側の開口を通じて側方から収納物（Ｄ，Ｄ）を収納し、次いで、該他側の糊代片（４′，４′）と、同じく他側の主側壁板（３）と、さらに同じく他側の副側壁板（５ａ′，５ｂ′）とを直角に折曲して上記他側の開口を閉鎖することを特徴とする収納梱包法。
【発明の詳細な説明】
【０００１】
【発明の属する技術分野】
本発明は、内部を仕切壁板で二つの空室に区画した段ボール箱およびそれによる収納梱包法に関する。
【０００２】
【従来の技術】
この種の段ボール箱としては、既に各種構造のものが提案されている。
例えば、特開２００１−３２８６２０号公報（特許文献１）記載のものは、一重の側壁板により形成される箱本体内を、仕切壁板で区画した各室の底部に底板の一重部分と二重部分ができ、そこに収納したペットボトル等の収納物の高さが不揃いになるのを、底部全域で底板を二重にして段差を生じないように改善し、そのことにより同時に、底部全域の強度の向上を図っている。
【０００３】
【特許文献１】
特開２００１−３２８６２０号公報
【０００４】
【発明が解決しようとする課題】
段ボール箱に収納物を収納梱包する作業を、所定の自動収納梱包ラインで自動的に行う場合、底板を二重にする上記のような段ボール箱にあっては、当該段ボール箱を組み立てた後に、その段ボール箱に上面開口を通じて収納物を入れざるを得ないと認められる。
【０００５】
それは、組立て途中の一重の底板に収納物を乗載した後で、それらの間に他の底板を挿入することにより二重にすることは困難だからである。
また、収納物を収納梱包した段ボール箱は、その出荷輸送および保管の何れにおいても、複数段に積み重ねられるのが普通であるが、その場合には、特に下段のものが圧し潰されるのを避けなければならない。
例えば、各種建築用流体材料を収納する容器として、環境保護等のため、金属製材料に代えて合成樹脂材料を用い、肉薄かつ柔軟に成形したものがあるが、そのような柔軟な容器を収納梱包する段ボール箱は、十分な強度が必要であり、特許文献１記載の上記段ボール箱のように、側壁板が一重の場合には、十分な強度を得るために肉厚の段ボールを採用するとか、他の補強材を使うなどして所定の補強を行う必要があるという不利が生じる。
【０００６】
そこで本発明は、第１に、底部に段差が生じることをなくすとともに、組立ての初期または途中適宜の時期に収納物を受入できるようにすることにより所定の自動収納梱包ラインにおいて極めて容易に収納物を収納梱包することができ、第２に、側壁板の一部を二重にすることにより、比較的肉薄の段ボールを使用しても出荷輸送および保管の際に複数段積み重ねることに、十分耐えられる強度を有する段ボール箱を提供しようとするものである。
【０００７】
【課題を解決するための手段】
請求項１記載の本発明段ボール箱は次の構成からなる。
（１）台紙１が、長方形の底板２の両側対向長辺縁にそれと同形同大の主側壁板３，３を連設し、上記底板２の両側対向短辺縁にはそれぞれ、略正方形の主側壁板４，４と、同じく略正方形の上板５ａ，５ｂと、さらに同じく略正方形の仕切壁板６，６とを、外方に向けて順に連設するとともに、上記主側壁板４，４の対向する２辺縁（上記底板２の両側対向長辺の延長線上の２辺縁）に、上記主側壁板３，３と並列する状態にして糊代片４′…を連設し、上記上板５ａの対向する２辺縁（上記底板２の両側対向長辺の延長線上の２辺縁）に、上記糊代片４′…と並列する状態にして、該上板５ａと同形同大の副側壁板５ａ′，５ａ′を連設し、上記上板５ｂの対向する２辺縁（上記底板２の両側対向長辺の延長線上の２辺縁）に、上記糊代片４′…と並列する状態にして、一側５ｂ″，５ｂ″を上記仕切壁板６側に延長した長方形の副側壁板５ｂ′，５ｂ′を連設し、また、上記仕切壁板６，６の遊端側辺縁に糊代片１０，１０を連設してなる。
（２）その台紙１の底板２に対して、上記主側壁板４，４を直角に起立し、上記上板５ａ，５ｂを上記主側壁板４，４に対して直角に折曲し、さらに上記仕切壁板６，６を上記上板５ａ，５ｂに対し直角に折曲し、上記糊代片１０，１０を折曲して上記底板２上面に貼着することにより、上記底板２上に主側壁板４，４と、上板５ａ，５ｂと、仕切壁板６，６とにより囲繞された２つの空室Ａ，Ｂを区画形成している。
（３）上記糊代片４′…を主側壁板４，４に対し直角に折曲し、また、主側壁板３，３を底板に対し直角に折曲し、さらに、副側壁板５ａ′，５ａ′，５ｂ′，５ｂ′を、上板５ａ，５ｂに対して直角に折曲することによって、上記空室Ａ，Ｂの両側開口を閉鎖している。
【０００８】
請求項２記載の本発明収納梱包法は、請求項１記載の段ボール箱の台紙１を、上記主側壁板４，４と上板５ａ，５ｂの間で折り返して、底板２と主側壁板４，４の上面側に、上板５ａ，５ｂと仕切壁板６，６とを重合させ、かつ、上記糊代片１０，１０を上記底板２上面の所定箇所に貼着した状態にして自動収納梱包ラインに供給し、該自動収納梱包ラインで、その主側壁板４，４および仕切壁板６，６を底板２に対して直角に起立させることにより空室Ａ，Ｂを拡げてその両側を開口させた状態とし、該空室Ａ，Ｂに、いずれかの側の開口を通じて側方から収納物Ｄ，Ｄを収納し、その後、糊代片４′…と、主側壁板３，３と、副側壁板５ａ′，５ａ′，５ｂ′，５ｂ′とを直角に折曲して、該空室Ａ，Ｂの両側開口を閉鎖するものである。
【０００９】
請求項３記載の本発明収納梱包法は、請求項１記載の段ボール箱の台紙１を、上記主側壁板４，４と上板５ａ，５ｂの間で折り返して、底板２と主側壁板４，４の上面側に、上板５ａ，５ｂと仕切壁板６，６とを重合させ、かつ、上記糊代片１０，１０を上記底板２上面の所定箇所に貼着した状態にして自動収納梱包ラインに供給し、該自動収納梱包ラインで、その主側壁板４，４および仕切壁板６，６を底板２に対して直角に起立させることにより空室Ａ，Ｂを拡げてその両側を開口させた状態とし、一側の糊代片４′，４′と、同じく一側の主側壁板３と、さらに同じく一側の副側壁板５ａ′，５ｂ′とを直角に折曲して、空室Ａ，Ｂの上記一側の開口を閉鎖し、その後、該空室Ａ，Ｂに、他側の開口を通じ側方から収納物Ｄ，Ｄを収納し、次いで、該他側の糊代片４′，４′と、同じく他側の主側壁板３と、さらに同じく他側の副側壁板５ａ′，５ｂ′とを直角に折曲して上記他側の開口を閉鎖するものである。
【００１０】
【発明の実施の形態】
以下、本発明を図示の実施形態について詳しく説明する。
【００１１】
１は台紙で、それはまず、長方形の底板２の両側対向長辺縁にそれと同形同大の主側壁板３，３を連設している。
そして、上記底板２の両側対向短辺縁にはそれぞれ、略正方形の主側壁板４，４と、同じく略正方形の上板５ａ，５ｂと、さらに同じく略正方形の仕切壁板６，６とが、外方に向けて順に連設されている。
【００１２】
４′…は、上記主側壁板３，３と並列する状態にし、かつ、その主側壁板３，３との間に切込み７…を形成して、上記各主側壁板４の対向する２辺縁（上記底板２の両側対向長辺の延長線上の２辺縁）に連設した糊代片である。
【００１３】
５ａ′，５ａ′、５ｂ′，５ｂ′は、上記糊代片４′…と並列する状態にし、かつ、その糊代片４′…との間に切込み８…を形成して、上記各上板５ａ，５ｂの対向する２辺縁（上記底板２の両側対向長辺の延長線上の２辺縁）に連設された副側壁板である。
【００１４】
上記上板５ａに連設された副側壁板５ａ′，５ａ′は、該上板５ａと同形同大の略正方形にしてある。
また、他方の上板５ｂに連設した副側壁板５ｂ′，５ｂ′は、その一側５ｂ″，５ｂ″を上記仕切壁板６側に延長した長方形のもので、これと該仕切壁板６との間には切込み９，９が形成されている。
【００１５】
１０，１０は、上記仕切壁板６，６の遊端側辺縁に連設された糊代片である。
１１，１１は、上記主側壁板４，４の所要位置に開設した手掛け用孔である。
【００１６】
上記台紙１を、本発明段ボール箱に組み立てるには以下のようにする。
【００１７】
まず、水平に配置した台紙１の底板２に対して主側壁板４，４を、その外方の上板５ａ，５ｂ、仕切壁板６，６，糊代片１０，１０等とともに直角に起立し、次に、上記上板５ａ，５ｂを上記主側壁板４，４に対して直角に折曲し、さらに上記仕切壁板６，６を上記上板５ａ，５ｂに対し直角に折曲する（図２，３）。
そして、上記糊代片１０，１０をそれぞれ反対方向に折曲して上記底板２上面の所定箇所に貼着する。
なお、その糊代片１０，１０の上記底板２上面への貼着は図９に示すように、両糊代片１０，１０を同一方向に折曲してそれらを重ねて行うようにしてもよい。
【００１８】
これによって、底板２上には、主側壁板４，４、上板５ａ，５ｂ、仕切壁板６，６により囲繞されかつ、両側を開口させた空室Ａ，Ｂが、その仕切壁６，６を隣接重合させた状態で区画形成される。
【００１９】
続いて、糊代片４′…を主側壁板４，４に対し直角に折曲し、また、主側壁板３，３を底板２に対し直角に折曲し、さらに、副側壁板５ａ′，５ａ′，５ｂ′，５ｂ′を、上板５ａ，５ｂに対して直角に折曲することによって、上記空室Ａ，Ｂの両側開口を閉鎖する（図４）。
【００２０】
上記のようにして組み立てられた段ボール箱Ｃは、仕切壁６，６を隣接重合させた状態になっているとともに、各主側壁板３には副側壁板５ａ′，５ｂ′が重合された状態となり、しかも、その副側壁板５ｂ′の一側５ｂ″は副側壁板５ａ′に重合し、この部分が三重になっている。
また、糊代片４′…も、主側壁板３，３および副側壁板５ａ′，５ａ′，５ｂ′，５ｂ′に重合された状態となるから、十分な強度を有する。
【００２１】
したがって、比較的肉薄の段ボールにより製作した上記段ボール箱Ｃに収納物Ｄを収容し、それを複数段に積み重ねた場合にも、下段のものが圧し潰されるというようなことが避けられる。
【００２２】
その段ボール箱Ｃの上記空室Ａ，Ｂに収納した収納物Ｄの取出しは、上板５ａ，５ｂを予め印刷しておいた所要の切断線（図示せず）に沿ってカッター等により切断することによって、あるいは、例えば図４に示すように、上板５ａ，５ｂから副側壁板５ａ′，５ａ′，５ｂ′，５ｂ′にかけて印刷した切断線１３，１３に沿って切断することによって該空室Ａ，Ｂの上面を開き（図８）、各収納物Ｄを取り出せばよいものである。
【００２３】
なお、上記切断は、印刷した切断線に沿ってカッター等により行う以外に、例えば、台紙１の該当部分に予めミシン目を入れておくとか、テープ等の切り離し材を沿設しておき、これらに沿って引きちぎるようにしてもよい。
【００２４】
上記の取出しは、空室Ａ，Ｂのいずれか一方に収納された収納物Ｄごとに行うことができ、他方に収納された収納物Ｄについてはそのまま収納梱包状態にしておき、それについては、後刻あらためて取り出すようにすることができる。
すなわち、上記空室Ａ，Ｂは二重の仕切壁板６，６によって区画されているから、例えば空室Ｂの上面を開いて、そこに収納梱包した収納物Ｄを取り出しても、空室Ａ内の収納物Ｄは収納梱包状態に維持される。
【００２５】
したがって、空室Ｂ内の収納物Ｄのみを取り出した後は、底板２、主側壁板３，３等の、該空室Ｂを囲繞する部分を切り取ってしまえば、該段ボール箱Ｃは当初の半分の大きさのものとなるので、空室Ａに収納梱包した収納物Ｄを保管するのに必要なスペースの削減ができる。
【００２６】
本発明段ボール箱Ｃの組立ておよびそれへの収納物の梱包は、上記の手順により手作業で行うことも可能であるが、以下のように、所要の自動収納梱包ラインを用いた本発明収納梱包法によって行うことが好ましい。
【００２７】
この収納梱包法では、上記台紙１を予め図５のように折り畳んだ状態、すなわち、該台紙１を、上記主側壁板４，４と上板５ａ，５ｂの間で折り返して、底板２と主側壁板４，４の上面側に、上板５ａ，５ｂと仕切壁板６，６とを重合させ、上記糊代片１０，１０を上記底板２上面の所定箇所に貼着した状態にしておき、これを自動収納梱包ラインに供給する。
【００２８】
自動収納梱包ラインでは、供給されたその台紙１の主側壁板４，４および仕切壁板６，６を底板２に対して直角になるところまで起立させることにより（図６）空室Ａ，Ｂを拡げてその両側を開口させた状態とし、その後、該空室Ａ，Ｂのいずれかの側の開口を通じて側方から収納物Ｄ，Ｄを収納する。
そして、これに引き続き、糊代片４′…を主側壁板４，４に対し直角に折曲し、また、主側壁板３，３を底板２に対し直角に起立させ、さらに、副側壁板５ａ′，５ａ′，５ｂ′，５ｂ′を上板５ａ，５ｂに対して直角に折曲することによって、上記空室Ａ，Ｂの両側開口を閉鎖する。
【００２９】
なお、上記自動収納梱包ラインにおける収納物Ｄ，Ｄの収容は、空室Ａ，Ｂを拡げてその両側を開口させ、かつ、一側の糊代片４′，４′，同じく一側の主側壁板３，および，さらに同じく一側の副側壁板５ａ′，５ｂ′を直角に折曲して、上記空室Ａ，Ｂの一側開口を閉鎖した後に、他側の開口を通じて行うようにしてもよく（図７）、この場合、収納物Ｄ，Ｄを収納した後には、開口している他側の糊代片４′，４′，同じく他側の主側壁板３，および，さらに同じく他側の副側壁板５ａ′，５ｂ′を直角に折曲して、上記他側の開口を閉鎖する。
【００３０】
上記収納梱包法では、予め折り畳んだ状態にした台紙１を自動収納梱包ラインに供給しているので、該自動収納梱包ラインにおける段ボール箱Ｃの組立ては容易であるし、また、上記段ボール箱Ｃの空室Ａ，Ｂが側面を開口させているから、収納物Ｄ，Ｄを、段ボール箱Ｃの上方まで持ち上げたりすることなく、その側方から容易かつ確実に収納することができ、該自動収納梱包ラインの設備を簡単なものにすることができる。
【００３１】
また、台紙１の自動収納梱包ラインへの供給は、該台紙１を予め上記のように折り畳んだ状態（図５）で行うほか、たとえば、以下のように折り畳んだ状態で行うこともできる。
すなわち、台紙１の上記糊代片１０，１０を上記底板２上面の所定箇所に貼着するとともに、上記仕切壁板６，６を互いに隣接重合させて接着しておき、該仕切壁板６，６と主側壁板４，４とを同一の方向に倒して折り畳んでおく。
そして、自動収納梱包ラインでは、重合接着されている仕切板６，６と、主側壁板４，４とを底板２に対して起立させることにより空室Ａ，Ｂを拡げるようにする。
【００３２】
【発明の効果】
以上詳述したところから明らかなように、本発明によれば次の効果を奏するものである。
【００３３】
本発明段ボール箱は、収納物を収納する空室が、その底部を一重の底板で形成し、段差を生じることをなくしているから当該収納物の高さを不揃いにすることなく整然と収納できる。
また、主側壁板と副側壁板、これらと糊代片、また、副側壁板同士の重合部分を有し、それらの部分が補強されているから、比較的肉薄の段ボールを使用しても出荷輸送および保管の際に複数段積み重ねることに、十分耐えられる強度を有する。
【００３４】
本発明収納梱包法によれば、自動収納梱包ラインにおいて、上記段ボール箱の空室に収納物を収納梱包するのを極めて容易に実施できることになる。
【００３５】
【図面の簡単な説明】
【図１】本発明に係る段ボール箱の台紙の展開図である。
【図２】上記段ボール箱の組立て状況を説明するための斜視図である。
【図３】同じく上記段ボール箱の組立て状況を説明するための斜視図である。
【図４】上記段ボール箱の組上がり状態の斜視図である。
【図５】上記台紙を折り畳んだ状態の斜視図である。
【図６】折り畳んだ台紙を拡げる状況を説明するための斜視図である。
【図７】上記段ボール箱に収納物を収納する状況を説明するための斜視図である。
【図８】一方の空室を開放し収納物を取り出せる状態にしている上記斜視図である。
【図９】糊代片の底板上面への他の貼着方法を示した斜視図である。
【符号の説明】
Ａ，Ｂ        空室
Ｃ            段ボール箱
Ｄ            収納物
１            台紙
２            底板
３，４        主側壁板
４′，１０    糊代片
５ａ，５ｂ    上板
５ａ′，５ｂ′副側壁板
６            仕切壁板
７，８，９    切込み
【図１】
2004331085.tif 000003
【図２】
2004331085.tif 000004
【図３】
2004331085.tif 000005
【図４】
2004331085.tif 000006
【図５】
2004331085.tif 000007
【図６】
2004331085.tif 000008
【図７】
2004331085.tif 000009
【図８】
2004331085.tif 000010
【図９】
2004331085.tif 000011